(57)【要約】【課題】回転自在の固定ピンや回動自在のリンクなどを設ける操作機構の組立作業を容易とする。【解決手段】操作機構部２ａと開閉部２ｂとの境に設けられた架台１と、架台１に中間部が固定された第１、第２の固定ブロック２０ａ、２０ｂと、第１、第２の固定ブロック２０ａ、２０ｂの両端面に所定の間隔を保って固定された第１、第２の機構フレーム板２１ａ、２１ｂと、第１、第２の機構フレーム板２１ａ、２１ｂ間に設けられとともに、これを回転自在に貫通する固定ピン５、主軸１３、操作軸１８と、固定ピン５や主軸１３に連結された回動自在の複数のリンク６、７、９、１１、１４と、リンク６、７、９、１１、１４に連結された真空バルブ１９と、を備えたことを特徴とする。【選択図】  図１
2015079700.tif 000002
【特許請求の範囲】
【請求項１】
操作機構部と開閉部との境に設けられた架台と、
前記架台に中間部が固定された第１、第２の固定ブロックと、
前記第１、第２の固定ブロックの両端面に所定の間隔を保って固定された第１、第２の機構フレーム板と、
前記第１、第２の機構フレーム板間に設けられとともに、この第１、第２の機構フレーム板を回転自在に貫通する固定軸と、
前記固定軸に連結された回動自在の複数のリンクと、
前記リンクに連結された真空バルブと、
を備えたことを特徴とする真空開閉器の操作機構。
【請求項２】
前記第１、第２の固定ブロックの両端面に凸部を設け、
前記第１、第２の機構フレーム板に前記凸部が嵌め込まれる溝部を設けたことを特徴とする請求項１に記載の真空開閉器の操作機構。
【請求項３】
前記第１、第２の固定ブロックの両端面にピン穴を設け、
前記第１、第２の機構フレーム板に貫通孔を設け、
前記貫通孔を介して前記ピン穴にロックピンを打ち込むことを特徴とする請求項１に記載の真空開閉器の操作機構。
【発明の詳細な説明】
【技術分野】
【０００１】
本発明の実施形態は、操作機構部の組立作業性を向上し得る真空開閉器の操作機構に関する。
【背景技術】
【０００２】
従来、真空開閉器の開閉操作を行う操作機構部には、開閉操作力の伝達に複数のリンクやカムなどを用いることが知られている（例えば、特許文献１参照）。
【０００３】
この種の操作機構を図６に示す。（ａ）側面図、（ｂ）正面図であり、架台１を境として、操作機構部２ａと開閉部２ｂに分かれて構成されている。なお、図６（ａ）では、一方の機構フレーム板を取外し、固定ピン（固定軸）を斜線、可動ピンを白抜きで示す。
【０００４】
操作機構部２ａには、二枚のＬ字状の第１、第２の機構フレーム板３ａ、３ｂが設けられ、一方面が向かい合って平行配置され、他方面が架台１に複数のボルト４で固定されている。平行配置された空間部には、図示下部に、第１、第２の機構フレーム板３ａ、３ｂを回転自在に貫通した固定ピン５が設けられている。固定ピン５には、板状の第１のリンク６の一方端が回動自在に貫通し、他方端に板状の第２のリンク７の一方端が可動ピン８で連結されている。他方端には、板状の第３のリンク９の一方端が可動ピン１０で連結されている。他方端には、三角状の第４のリンク１１の一方端が可動ピン１２で連結されている。他方端には、第１、第２の機構フレーム板３ａ、３ｂを回転自在に貫通する主軸１３が固定されている。
【０００５】
主軸１３には、更に、三角状の第５のリンク１４の一方端が固定されている。他方端は、第１、第２の機構フレーム板３ａ、３ｂ外に導出され、架台１を移動自在に貫通する開閉可動軸１５が可動ピン１６で連結されている。第１、第２の機構フレーム板３ａ、３ｂの中央部には、扇状のカム１７を固定した回転自在の操作軸１８が貫通している。カム１７の外周は、可動ピン８に当接する。固定ピン５、可動ピン８、１０、１２、１６、操作軸１８などの両端部には、第１、第２の機構フレーム板３ａ、３ｂから外れないようにＣリングが設けられている。
【０００６】
開閉部２ｂには、接離自在の一対の接点を有する真空バルブ１９が設けられ、可動側が開閉可動軸１５に連結されている。
【０００７】
これらの構成において、カム１７や主軸１３を回転させて、リンク６、７、９、１１、１４の角度を変化させ、真空バルブ１９の開閉操作が行われている。このため、第１、第２の機構フレーム板３ａ、３ｂや、これを回転自在に貫通している固定ピン５、主軸１３、操作軸１８などは、各部の寸法精度を向上させ、安定した開閉動作が得られるようにしなくてはならない。特に、第１、第２の機構フレーム板３ａ、３ｂでは、向かい合った板面の平行度を出しながら架台１にボルト４で固定するため、細心の注意を払った困難な組立作業となっていた。なお、平行度が出ていないと、固定ピン５、主軸１３、操作軸１８などの回転がスムーズとならず、開閉操作力を低減させることになる。
【先行技術文献】
【特許文献】
【０００８】
【特許文献１】特開２０１１−１００６９７号公報
【発明の概要】
【発明が解決しようとする課題】
【０００９】
本発明が解決しようとする課題は、回転自在の固定ピン５、主軸１３、操作軸１８や、回動自在のリンク６、７、９、１１、１４などを有する操作機構部２ａの組立作業を容易とする真空開閉器の操作機構を提供することにある。
【課題を解決するための手段】
【００１０】
上記課題を解決するために、実施形態の真空開閉器の操作機構は、操作機構部と開閉部との境に設けられた架台と、前記架台に中間部が固定された第１、第２の固定ブロックと、前記第１、第２の固定ブロックの両端面に所定の間隔を保って固定された第１、第２の機構フレーム板と、前記第１、第２の機構フレーム板間に設けられとともに、この第１、第２の機構フレーム板を回転自在に貫通する固定軸と、前記固定軸に連結された回動自在の複数のリンクと、前記リンクに連結された真空バルブと、を備えたことを特徴とする。
【図面の簡単な説明】
【００１１】
【図１】本発明の実施例１に係る真空開閉器の操作機構の構成を示す図。
【図２】本発明の実施例１に係る機構フレーム板と固定ブロックを示す正面図。
【図３】本発明の実施例２に係る機構フレーム板と固定ブロックを示す正面図。
【図４】本発明の実施例２に係る機構フレーム板と固定ブロックを示す正面図。
【図５】本発明の実施例３に係る機構フレーム板と固定ブロックを示す正面図。
【図６】従来の真空開閉器の操作機構の構成を示す図。
【発明を実施するための形態】
【００１２】
以下、図面を参照して本発明の実施例を説明する。
【実施例１】
【００１３】
先ず、本発明の実施例１に係る真空開閉器の操作機構を図１、図２を参照して説明する。図１は、本発明の実施例１に係る真空開閉器の操作機構の構成を示す図であり、（ａ）が側面図、（ｂ）が正面図、図２は、本発明の実施例１に係る機構フレーム板と固定ブロックを示す正面図であり、（ａ）が機構フレーム板、（ｂ）が固定ブロックである。なお、従来と同様の構成部分は、同一符号を付した。
【００１４】
図１に示すように、操作機構は、架台１を境として、操作機構部２ａと開閉部２ｂに分かれて構成されている。なお、図１（ａ）では、一方の機構フレーム板を取外し、固定ピン（固定軸）を斜線、可動ピンを白抜きで示す。
【００１５】
操作機構部２ａには、箱状の第１、第２の固定ブロック２０ａ、２０ｂを挟んだ二枚の板状の第１、第２の機構フレーム板２１ａ、２１ｂが設けられている。第１、第２の固定ブロック２０ａ、２０ｂは、架台１側の上部端と下部端に設けられている。第１、第２の機構フレーム板２１ａ、２１ｂには、ボルト２２を貫通させ、第１、第２の固定ブロック２０ａ、２０ｂの両端面に固定されている。第１、第２の固定ブロック２０ａ、２０ｂには、中間部の二個所にボルト２３を貫通させ、架台１に固定されている。なお、必要に応じ、架台１側と対向する第１、第２の機構フレーム板２１ａ、２１ｂの端部に固定ブロックを固定し、平行度を向上させてもよい。
【００１６】
第１、第２の機構フレーム板２１ａ、２１ｂを所定の間隔で保った空間部には、従来と同様に、図示下部に、第１、第２の機構フレーム板２１ａ、２１ｂを回転自在に貫通した固定ピン５が設けられている。固定ピン５には、板状の第１のリンク６の一方端が回動自在に貫通し、他方端に板状の第２のリンク７の一方端が可動ピン８で連結されている。他方端には、板状の第３のリンク９の一方端が可動ピン１０で連結されている。他方端には、三角状の第４のリンク１１の一方端が可動ピン１２で連結されている。他方端には、第１、第２の機構フレーム板２１ａ、２１ｂを回転自在に貫通する主軸１３が固定されている。
【００１７】
主軸１３には、更に、三角状の第５のリンク１４の一方端が固定されている。他方端は、第１、第２の機構フレーム板２１ａ、２１ｂ外に導出され、架台１を移動自在に貫通する開閉可動軸１５が可動ピン１６で連結されている。第１、第２の機構フレーム板２１ａ、２１ｂの中央部には、扇状のカム１７を固定した回転自在の操作軸１８が貫通している。カム１７の外周は、可動ピン８に当接する。固定ピン５、可動ピン８、１０、１２、１６、操作軸１８などの両端部には、第１、第２の機構フレーム板３ａ、３ｂから外れないようにＣリングが設けられている。
【００１８】
開閉部２ｂには、接離自在の一対の接点を有する真空バルブ１９が設けられ、可動側が開閉可動軸１５に連結されている。
【００１９】
次に、第１、第２の機構フレーム板２１ａ、２１ｂと第１、第２の固定ブロック２０ａ、２０ｂを図２（ａ）、（ｂ）を参照して説明する。
【００２０】
第１、第２の機構フレーム板２１ａ、２１ｂには、図２（ａ）に示すように、固定ピン５が貫通する貫通孔２４ａ、操作軸１８が貫通する貫通孔２４ｂ、主軸１３が貫通する貫通孔２４ｃ、およびボルト２２が貫通する貫通孔２４ｄ、２４ｅが設けられている。第１、第２の固定ブロック２０ａ、２０ｂには、図２（ｂ）に示すように、中間部にボルト２３が貫通する貫通孔２５が設けられている。両端面には、ねじ穴２６が設けられ、ボルト２２が螺合されるようになっている。
【００２１】
これにより、第１、第２の機構フレーム板２１ａ、２１ｂは、左右対称であり、第１、第２の固定ブロック２０ａ、２０ｂにより所定の間隔が保たれ、容易に平行面とすることができる。また、機械加工などで同形状のものを大量に製造することができ、貫通孔２４ａ、２４ｂ、２４ｃ、２４ｄ、２４ｅの位置や大きさも同形状とすることができる。このため、貫通する固定ピン５、操作軸１８、主軸１３などの軸方向の平行度を容易に保つことができ、摩擦損失の少ないものにすることができる。なお、予め、第１、第２の機構フレーム板２１ａ、２１ｂ内に、リンク６、７、９、１１、１４やカム１７などを組立てておき、最後に第１、第２の固定ブロック２０ａ、２０ｂを架台１に固定するようにすれば、作業性が向上する。
【００２２】
ここで、固定ピン５、操作軸１８、主軸１３などを第１、第２の機構フレーム板２１ａ、２１ｂを回転自在に貫通する固定軸と称する。
【００２３】
上記実施例１の真空開閉器の操作機構によれば、第１、第２の機構フレーム板２１ａ、２１ｂを第１、第２の固定ブロック２０ａ、２０ｂで挟んで固定し、この固定ブロック２０ａ、２０ｂを架台１に固定するようにしているので、第１、第２の機構フレーム板２１ａ、２１ｂを所定の間隔に保って平行面を出すことができ、組立作業を容易とすることができる。また、回転自在に貫通する固定ピン５などや、回動自在の複数のリンク６、７、９、１１、１４を滑らかに動作させることができ、開閉操作力の伝達損失を抑制することができる。
【実施例２】
【００２４】
次に、本発明の実施例２に係る真空開閉器の操作機構を図３、図４を参照して説明する。図３、図４は、本発明の実施例２に係る機構フレーム板と固定ブロックを示す正面図であり、（ａ）が機構フレーム板、（ｂ）が固定ブロックである。なお、この実施例２が実施例１と異なる点は、固定ブロックに位置決め手段を設けたことである。図３、図４において、実施例１と同様の構成部分においては、同一符号を付し、その詳細な説明を省略する。
【００２５】
図３に示すように、第１、第２の固定ブロック２０ａ、２０ｂの両端面に凸部２７を設け、第１、第２の機構フレーム板２１ａ、２１ｂに凸部２７を嵌め込む溝部２８を設けている。図４は、凸部２７と溝部２８を９０度回転させたものである。
【００２６】
上記実施例２の真空開閉器の操作機構によれば、実施例１による効果のほかに、第１、第２の固定ブロック２０ａ、２０ｂの位置決めを容易とすることができる。
【実施例３】
【００２７】
次に、本発明の実施例３に係る真空開閉器の操作機構を図５を参照して説明する。図５は、本発明の実施例３に係る機構フレーム板と固定ブロックを示す正面図であり、（ａ）が機構フレーム板、（ｂ）が固定ブロックである。なお、この実施例３が実施例１と異なる点は、固定ブロックに位置決め手段を設けたことである。図５において、実施例１と同様の構成部分においては、同一符号を付し、その詳細な説明を省略する。
【００２８】
図５に示すように、第１、第２の固定ブロック２０ａ、２０ｂの両端面にピン穴２９を設け、第１、第２の機構フレーム板２１ａ、２１ｂにピン穴２９に対向して貫通孔３０を設け、これらにロックピン３１を打ち込むようにしている。
【００２９】
上記実施例３の真空開閉器の操作機構によれば、実施例２と同様の効果を得ることができる。
【００３０】
以上述べたような実施形態によれば、複数のリンクやカムを収納する操作機構の組立作業を容易とすることができる。また、回転する軸の回転を滑らかにすることができ、開閉操作力の伝達損失を抑制することができる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１  架台
３ａ、３ｂ、２１ａ、２１ｂ  機構フレーム板
４、２２、２３  ボルト
５  固定ピン
６、７、９、１１、１４  リンク
１３  主軸
１７  カム
１８  操作軸
２０ａ、２０ｂ  固定ブロック
２６  ねじ穴
２７  凸部
２８  溝部
３１  ロックピン
【図１】
2015079700.tif 000003
【図２】
2015079700.tif 000004
【図３】
2015079700.tif 000005
【図４】
2015079700.tif 000006
【図５】
2015079700.tif 000007
【図６】
2015079700.tif 000008